(57)【要約】【課題】くり抜き胴和太鼓と同様の音色を出すことができ、安価かつ軽量である和太鼓を提供する。【解決手段】和太鼓１は複数の木製の側板６０によって角筒状に形成された側面部材５０と、該側面部材５０の両端側に形成された一対の打面部材１０と、を備える。前記側面部材５０の両端側の周縁には、更に、鍔部材２０が外嵌固着され、該鍔部材２０の上面に前記打面部材１０が着脱可能に載置固定されている。前記打面部材１０は、木製の板材からなる鼓面部１５と該鼓面部１５の端縁部を挟着固定した枠部１１とからなり、該枠部１１が、前記鍔部材２０の上面に着脱可能に載置固定されている。前記鼓面部１５は、シナ材又はブナ材の合板からなる。前記側板６０は、連結部材３０によって連結され、該連結部材３０の長手方向の両側に形成された凹溝に該側板６０の側端が挿着固定されている。【選択図】図１
0003163489.tif 000002
【実用新案登録請求の範囲】
【請求項１】
中空立体形状の和太鼓であって、複数の木製の側板によって角筒状に形成された側面部材と、該側面部材の両端側に形成された一対の打面部材と、を備えることを特徴とする和太鼓。
【請求項２】
前記側面部材の両端側の周縁には、更に、鍔部材が外嵌固着され、該鍔部材の上面に前記打面部材が着脱可能に載置固定されている請求項１に記載の和太鼓。
【請求項３】
前記打面部材は、木製の板材からなる鼓面部と、該鼓面部の端縁部を挟着固定した枠部と、からなり、該枠部が、前記鍔部材の上面に着脱可能に載置固定されている請求項２に記載の和太鼓。
【請求項４】
前記鼓面部は、合板からなる請求項３に記載の和太鼓。
【請求項５】
前記鼓面部は、２枚の合板と、該２枚の合板の間に挟着した布と、からなるものである請求項３に記載の和太鼓。
【請求項６】
前記合板は、シナ材又はブナ材である請求項４又は５に記載の和太鼓。
【請求項７】
前記鼓面部の板厚は、前記両端側で異なる請求項３乃至６のうちのいずれか１項に記載の和太鼓。
【請求項８】
前記側板は、連結部材によって連結され、該連結部材の長手方向の両側に形成された凹溝に該側板の側端が挿着固定されている請求項３乃至７のうちのいずれか１項に記載の和太鼓。
【請求項９】
前記鍔部材の下面は、前記連結部材の上面に固着形成されている請求項８に記載の和太鼓。
【請求項１０】
前記枠部と前記鍔部材の間に、更に、弾性シール材を挟持した請求項３乃至９のうちのいずれか１項に記載の和太鼓。
【請求項１１】
木製の中空立体形状の和太鼓であって、６枚の木製の側板によって六角筒状に形成された側面部材と、前記側面部材の両端側の周縁に外嵌固着された１対の鍔部材と、該鍔部材の上面に弾性シール材を挟持して、該鍔部材に着脱可能に載置固定された打面部材と、を有し、
前記打面部材は、２枚の３プライのシナ材の合板に布を挟着してなる鼓面部と、該鼓面部が挿着された枠部と、からなり、
前記側板は、連結部材によって連結され、該連結部材の長手方向の両側に形成された凹溝に該側板の側端が挿着固定されると共に、前記鍔部材の下面は、前記連結部材の上面に固着形成されている和太鼓。
【考案の詳細な説明】
【技術分野】
【０００１】
本考案は、和太鼓に関する。更に詳しくは、本考案は、くり抜き胴和太鼓と同様の音色を出すことができ、安価かつ軽量である和太鼓に関する。
【背景技術】
【０００２】
従来、和太鼓を製作するには、硬質の木を樽型にくりぬき、太鼓の胴部を作り、次いで、胴部の両端に、牛又は馬の皮を接合して乾燥させる。
【０００３】
しかし、和太鼓の樽型の胴は、欅などの一本の木の内部をくり抜いて製作するため、太鼓の製作は、高価なものとなる。
この問題を解決するために、円周上に配置した板の連結により構成した和太鼓が提案されている（例えば、特許文献１参照。）
【先行技術文献】
【特許文献】
【０００４】
【特許文献１】特開２０００−１８１４４５号公報
【考案の概要】
【考案が解決しようとする課題】
【０００５】
しかし、特許文献１に記載の太鼓であっても、重く、持ち運びに不便である。
本考案は、上記の従来の問題を解決するものであり、くり抜き胴和太鼓と同様の音色を出すことができ、安価かつ軽量である和太鼓を提供することを目的とする。
【課題を解決するための手段】
【０００６】
本考案は、以下の通りである。
１．中空立体形状の和太鼓であって、複数の木製の側板によって角筒状に形成された側面部材と、該側面部材の両端側に形成された一対の打面部材と、を備えることを特徴とする和太鼓。
２．前記側面部材の両端側の周縁には、更に、鍔部材が外嵌固着され、該鍔部材の上面に前記打面部材が着脱可能に載置固定されている１．に記載の和太鼓。
３．前記打面部材は、木製の板材からなる鼓面部と、該鼓面部の端縁部を挟着固定した枠部と、からなり、該枠部が、前記鍔部材の上面に着脱可能に載置固定されている２．に記載の和太鼓。
４．前記鼓面部は、木製の合板からなる３．に記載の和太鼓。
５．前記鼓面部は、２枚の合板と、該２枚の合板の間に挟着した布と、からなるものである３．に記載の和太鼓。
６．前記合板は、シナ材又はブナ材である４．又は５．に記載の和太鼓。
７．前記鼓面部の板厚は、前記両端側で異なる３．乃至６．のうちのいずれか１項に記載の和太鼓。
８．前記側板は、連結部材によって連結され、該連結部材の長手方向の両側に形成された凹溝に該側板の側端が挿着固定されている３．乃至７．のうちのいずれか１項に記載の和太鼓。
９．前記鍔部材の下面は、前記連結部材の上面に固着形成されている請求項８に記載の和太鼓。
１０．前記枠部と前記鍔部材の間に、更に、弾性シール材を挟持した３．乃至９．のうちのいずれか１項に記載の和太鼓。
１１．木製の中空立体形状の和太鼓であって、６枚の木製の側板によって六角筒状に形成された側面部材と、前記側面部材の両端側の周縁に外嵌固着された１対の鍔部材と、該鍔部材の上面に弾性シール材を挟持して、該鍔部材に着脱可能に載置固定された打面部材と、を有し、
前記打面部材は、２枚の３プライのシナ材の合板に布を挟着してなる鼓面部と、該鼓面部が挿着された枠部と、からなり、
前記側板は、連結部材によって連結され、該連結部材の長手方向の両側に形成された凹溝に該側板の側端が挿着固定されると共に、前記鍔部材の下面は、前記連結部材の上面に固着形成されている和太鼓。
【考案の効果】
【０００７】
１．本考案の和太鼓によれば、中空立体形状であって、複数の木製の側板によって角筒状に形成された側面部材と、該側面部材の両端側に着脱可能に形成された一対の打面部材と、を備えているため、くり抜き胴和太鼓と同様の音色を出すことができ、安価かつ軽量に製作することができる。
２．側面部材の両端側の周縁に、更に、鍔部材が外嵌固着されていれば、側面部材を確実に固定することができ、和太鼓全体を強度的に安定したものとすることができる。そして、鍔部材の上面に打面部材が着脱可能に載置固定されていれば、打面部材が損傷した場合においても打面部材のみを容易に交換することができる。
【０００８】
３．前記打面部材が、木製の板材からなる鼓面部と、該鼓面部の端縁部を挟着固定した枠部と、からなり、該枠部が、前記鍔部材の上面に着脱可能に載置固定されていれば、鼓面部の音質を高めると共に、打面部材を確実に鍔部材に固定することができる。
４．前記鼓面部が、合板からなる場合には、安価な材質で製作することができる。
５．前記鼓面部が、２枚の合板と、該２枚の合板の間に挟着した布と、からなるものであれば、布の粘り強さにより、鼓面部の強度を高めることができる。
６．前記合板が、シナ材又はブナ材であれば、更に皮製の鼓面部と同様の音色を出すことができる。
７．前記鼓面部の板厚が、前記両端側で異なるようにすれば、鼓面部をマレットで叩いた時に２種類の音色を奏でることができる。
【０００９】
８．前記側板が、連結部材によって連結され、該連結部材の長手方向の両側に形成された凹溝に該側板の側端が挿着固定されていれば、側板同士を確実に固定することができるため、和太鼓全体を更に強度的に安定したものとすることができる。
９．前記鍔部材の下面が、前記連結部材の上面に固着形成されていれば、更に和太鼓全体を強度的に安定したものとすることができる。
１０．前記枠部と前記鍔部材の間に、更に、弾性シール材を挟持すれば、和太鼓の密閉性に優れるため、更に、高品質の音色を奏でることができる。
【００１０】
１１．木製の中空立体形状の和太鼓であって、６枚の木製の側板によって六角筒状に形成された側面部材と、前記側面部材の両端側の周縁に外嵌固着された１対の鍔部材と、該鍔部材の上面に弾性シール材を挟持して、該鍔部材に着脱可能に載置固定された打面部材と、を有し、前記打面部材は、２枚の３プライのシナ材の合板に布を挟着してなる鼓面部と、該鼓面部が挿着された枠部と、からなり、前記側板は、連結部材によって連結され、該連結部材の長手方向の両側に形成された凹溝に該側板の側端が挿着固定されると共に、前記鍔部材の下面は、前記連結部材の上面に固着形成されている場合には、上記の効果すべてを備えたものとすることができる。
【図面の簡単な説明】
【００１１】
【図１】本考案の実施形態に係る和太鼓の外観を示す斜視図である。
【図２】本考案の実施形態に係る和太鼓の分解斜視図である。
【図３】図１のＡ−Ａ断面図である。
【図４】本考案の実施形態に係る和太鼓の打面部材を取り外した状態の平面図である。
【図５】本考案の実施形態に係る和太鼓の鼓面部に係り、（ａ）は分解斜視図、（ｂ）は完成斜視図である。
【図６】本考案の他の実施形態に係る和太鼓を座奏台に設置した状態を示す模式図である。
【図７】本考案の更に他の実施形態に係る和太鼓をやぐらに設置した状態を示す模式図である。
【考案を実施するための形態】
【００１２】
以下、本考案の実施形態を示す図１〜６を参照しながら本考案を詳しく説明する。
本考案の和太鼓は、例えば、図１に示す中空立体形状であって、複数の木製の側板によって角筒状に形成された側面部材と、該側面部材の両端側に着脱可能に形成された一対の打面部材と、を備えている。
【００１３】
前記「側面部材」は、複数の木製の側板によって角筒状に形成されている。
角筒状であれば、平板状の側板を接合して形成できるため、製作も容易であり、製作コストも低く抑えることができる。角筒状であれば、三角筒状、四角筒状、五角筒状、六角筒状、八画筒状、その他の多角筒状であるかは問わないが、図１に示す和太鼓１のように、六角筒状であるか、若しくは八角筒状であることが好ましい。
側板の接合方法は特に限定はなく、接着剤で接合する方法、螺子等の固着具で接合する方法、その両者を併用する方法のいずれでもよいが、和太鼓内部の気密性を保持するために、接着剤にて接着することが好ましい。
側板の材質は木製であれば、特に限定はないが、合板であれば、安価かつ軽量なものとすることができる。更に外側には木目調のデザインを施した印刷シートや突板を貼りつけたものを用いれば、より和太鼓の雰囲気を醸し出すことができる。
【００１４】
図１に示す和太鼓１は、側面部材５０が６枚の合板からなる側板６０を接合して六角筒状に形成されている。側板６０の表面には、木目模様６０ａがデザインされている。
図２に示すように、６枚の側板６０は、連結部材３０によって連結されている。連結部材３０の長手方向の両側には凹溝３１が形成されており、この凹溝３１に、側板６０の側端６１が挿着固定されている。こうすることで、側板６０同士を確実に固定することができ、和太鼓全体を更に強度的に安定したものとすることができる。
図１に示すように、連結部材３０の表面には、半球状の飾鋲３５が複数取り付けられており、和太鼓の雰囲気を一層醸し出している。
【００１５】
図１及び図２に示すように、側面部材５０の両端側の周縁には、更に鍔部材２０が外嵌固着されていることが好ましい。こうすることで側面部材５０を更に確実に固定することができる。また、和太鼓としての雰囲気を醸し出す上での装飾的な役割も果たしている。鍔部材２０を側板部材５０を構成する側板６０に固着するには、図２に示すように、木ネジ１９により、側板６０に設けた貫通孔６０ｈを通して鍔部材２０内側に設けた穴２０ｓに係止してある。更に、接着剤にて接着することにより、強度及び気密性を高めている。
また、図２及び図３に示すように、鍔部材２０の下面は、連結部材３０の上面３２に固着形成されている。こうすることで、更に和太鼓全体を強度的に安定したものとすることができる。
【００１６】
前記「打面部材」は、側面部材の両端側に形成されており、中央部をマレットで叩くことにより、打音を発する。マレットで叩いて打音を発することができれば、材質等は特に限定はない。打面部材は、側面部材の両端側に接着固定されていてもよいが、着脱可能に載置固定されていることが好ましい。
打面部材１０は、図２及び図３に示すように、木製の板材からなる鼓面部１５と、鼓面部１５の端縁部１５ａを接着剤で挟着固定した枠部１１と、からなる。
【００１７】
この枠部１１は、鍔部材２０に着脱可能に固定されている。すなわち、図２に示すように、鍔部材２０に設けた貫通孔２０ｈにナット１７を挿着し、枠部１１に設けた貫通孔１１ｈからボルト１８によって固定されている。
こうすることで、鼓面部１５の破損が生じても、ボルト１８を取り外すことで、打面部材１０を容易に交換することが可能である。
なお、気密性を保つために、図３に示すように、枠部１１と鍔部材２０の間には、弾性シール材４０が挟持されている。
【００１８】
前記「鼓面部」は木製の板材からなるものであれば特に限定はないが、木製の合板であることが好ましい。木製の合板であれば、安価な材質で製作することができると共に、弾性材料からなる打部を有するマレットで叩けば、皮製の鼓面部を有する和太鼓と同等の音質の打音を響かせることができる。更に、シナ材又はブナ材の合板であれば、より高品質の打音を響かせることができる。
【００１９】
和太鼓１に係る鼓面部１５は、図５（ａ）に示すように、シナ材からなる２枚の３プライの合板１５ａ、１５ｃと、この間に木綿の布１５ｂを挟着してある。木綿の布１５ｂを挟着することで鼓面部１５の強度を高めることができる。なお、布は、木綿に限らず種々の素材のものを用いることができる。
【００２０】
この鼓面部の厚さは特に限定はないが、厚さによって、異なる音色を出すことができる。そのため、１対の鼓面部各々の板厚を、側面部材の両端側で異なるようにして、１個の太鼓で２種類の音色を出すことができる。
【００２１】
図６に示す和太鼓２は、側板７０の高さを小さくして構成された、いわゆる締太鼓の例である。前述の和太鼓１と共に、和太鼓単独でも床面等に直接置いても使用できるが、図６に示すように、専用の座奏台９０上に設置して使用することが好ましい。
図７に示す和太鼓３は、大型の太鼓であり、専用のやぐら９５に設置して使用することが特に好ましい。こうすることで、勇壮な和太鼓の雰囲気をより一層醸し出すことができる。なお、和太鼓３には、飾り具３ａが取り付けられており、和太鼓の雰囲気を盛り上げている。
【産業上の利用可能性】
【００２２】
本考案に係る和太鼓は、安価かつ軽量であり、打楽器の技術分野において有用である。
【符号の説明】
【００２３】
１、２、３；和太鼓、１０；打面部材、１１；枠部、１５；鼓面部、１５ａ、１５ｃ；合板、１５ｂ；布、２０；鍔部材、３０；連結部材、３１；凹溝、３２；上面、４０；弾性シール材、５０；側面部材、６０、７０；側板、６１；側端
【図１】
0003163489.tif 000003
【図２】
0003163489.tif 000004
【図３】
0003163489.tif 000005
【図４】
0003163489.tif 000006
【図５】
0003163489.tif 000007
【図６】
0003163489.tif 000008
【図７】
0003163489.tif 000009